(57)【要約】【課題】銀行キャッシュカード、クレジットカードおよび振込カード等の複数のカードの磁気ストライプに記録された情報を容易に１枚のＩＣカードに記憶させることができるようにする。【解決手段】取り扱い可能なカードを示すカード識別情報で構成される利用可能カード情報を記憶した記憶部１４と、カードの磁気ストライプから読取ったカード磁気ストライプ情報に含まれるカード識別情報が記憶部１４に記憶された利用可能カード情報のカード識別情報と一致すると判定したとき、該カード磁気ストライプ情報をＩＣカード５に書込むカード情報書込部１５２を設けた。【選択図】        図１
2007179299.tif 000002
【特許請求の範囲】
【請求項１】
顧客の操作を受け付ける顧客操作表示部と、挿入されたカードの磁気ストライプの読取りを行う磁気カードリード部と、セットされたＩＣカードに記憶された情報の読取りおよび情報の書込みを行うＩＣカードリードライト部とを有するカード部とを備えた自動取引装置において、
取り扱い可能なカードを示すカード識別情報で構成される利用可能カード情報を記憶した記憶部と、
カードの磁気ストライプから読取ったカード磁気ストライプ情報に含まれるカード識別情報が前記利用可能カード情報に記憶されたカード識別情報と一致すると判定したとき、該カード磁気ストライプ情報をＩＣカードに書込むカード情報書込部とを設けたことを特徴とする自動取引装置。
【請求項２】
請求項１の自動取引装置において、
前記利用可能カード情報に、前記カード識別情報に対応する取り扱い可能なカードの名称を示すカード名称を記憶させ、
ＩＣカードから読取ったカード磁気ストライプ情報に含まれるカード識別情報が前記利用可能カード情報に記憶されたカード識別情報と一致すると判定したとき、該カード識別情報に対応するカード名称を示した入力操作手段を顧客操作表示部に表示させるカード情報利用部を設け、
前記入力操作手段の押下を受け付けたとき、前記カード磁気ストライプ情報にしたがって取引を行うようにしたことを特徴とする自動取引装置。
【請求項３】
請求項１の自動取引装置において、
挿入されたカードの表面をイメージデータとして読取るスキャナ部と、
登録可能なカードを示す利用機関識別情報で構成される登録可能カード情報を記憶した記憶部と、
前記イメージデータに含まれる利用機関識別情報が前記登録可能カード情報に記憶された利用機関識別情報と一致すると判定したとき、該利用機関識別情報およびイメージデータをＩＣカードに書込むカード情報書込部とを設けたことを特徴とする自動取引装置。
【請求項４】
顧客の操作を受け付ける顧客操作表示部と、挿入されたカードの表面をイメージデータとして読取るスキャナ部と、セットされたＩＣカードに記憶された情報の読取りおよび情報の書込みを行うＩＣカードリードライト部とを有するカード部とを備えた自動取引装置において、
登録可能なカードを示す利用機関識別情報で構成される登録可能カード情報を記憶した記憶部と、
前記イメージデータに含まれる利用機関識別情報が前記登録可能カード情報に記憶された利用機関識別情報と一致すると判定したとき、該利用機関識別情報およびイメージデータをＩＣカードに書込むカード情報書込部とを設けたことを特徴とする自動取引装置。
【請求項５】
顧客の操作を受け付ける顧客操作表示部と、セットされたＩＣカードに記憶された情報の読取りを行うＩＣカードリード部とを有するカード部とを備えた自動取引装置において、
取り扱い可能なカードを示すカード識別情報および該取り扱い可能なカードの名称を示すカード名称で構成される利用可能カード情報を記憶した記憶部と、
ＩＣカードから読取ったカード磁気ストライプ情報に含まれるカード識別情報が前記利用可能カード情報に記憶されたカード識別情報と一致すると判定したとき、該カード識別情報に対応するカード名称を示した入力操作手段を顧客操作表示部に表示させるカード情報利用部とを設け、
前記入力操作手段の押下を受け付けたとき、前記カード磁気ストライプ情報にしたがって取引を行うようにしたことを特徴とする自動取引装置。
【請求項６】
挿入された利用機関で利用されるカードに記録されたカード情報を読取り、該カード情報をＩＣカードに記憶させて登録する自動取引装置と、
前記自動取引装置で登録されたＩＣカードの利用を許容する利用機関を識別する利用機関識別情報を予め記憶した記憶部と、ＩＣカードに記憶されたカード情報の読取りを行うＩＣカードリード部と、ＩＣカードから読取ったカード情報に前記利用機関識別情報と一致する情報が含まれていると判定したとき、前記カード情報にしたがってカードの利用を許可する制御部とを有する利用端末とを備えたことを特徴とするＩＣカード利用システム。
【請求項７】
請求項６のＩＣカード利用システムにおいて、
前記カード情報を、カードの磁気ストライプ情報、またはカードの表面を読取ったイメージデータとしたことを特徴とするＩＣカード利用システム。
【発明の詳細な説明】
【技術分野】
【０００１】
本発明は、金融機関等の店舗やコンビニエンスストア等に設置され、顧客の操作によるＩＣカードの挿入を受け付けて各種取引を行う自動取引装置およびＩＣカード利用システムに関する。
【背景技術】
【０００２】
従来の自動取引装置およびカード利用システムは、カードの長手方向に平行な中心線について左右対称に２本の磁気ストライプを備え、一方の磁気ストライプにクレジットカード取引を行う情報を記録し、他方の磁気ストライプに金融機関等のキャッシュカード取引を行うための情報を記録した１枚の磁気カードを利用して多機能性および汎用性を確保しているものがある（例えば、特許文献１参照）。
【０００３】
また、専用のデータ転送装置を用いて単目的カードのデータを多機能電子カードの記憶部に転送して複数のカードの機能を単一のカードで扱うようにしているものもある（例えば、特許文献２参照）。
【特許文献１】特開２００１−１０１３６３号公報（段落「０００８」〜段落「００１１」、図１）
【特許文献２】特開２００１−２８０３８号公報（段落「００１３」〜段落「００２１」、図３）
【発明の開示】
【発明が解決しようとする課題】
【０００４】
しかしながら、上述した従来の技術においては、カードの長手方向に平行な中心線について左右対称に２本の磁気ストライプを備える必要があり、また、専用のデータ転送装置を用いて単目的カードのデータを多機能電子カードの記憶部に転送する必要があるため、カードの利用者は多機能性および汎用性を有する１枚のカードの保有を希望する場合、金融機関等の窓口で申請等を行う必要があり、煩雑な手続を要するというという問題がある。
【０００５】
本発明は、このような問題を解決することを課題とする。
【課題を解決するための手段】
【０００６】
そのため、本発明は、顧客の操作を受け付ける顧客操作表示部と、挿入されたカードの磁気ストライプの読取りを行う磁気カードリード部と、挿入されたＩＣカードに記憶された情報の読取りおよび情報の書込みを行うＩＣカードリードライト部とを有するカード部とを備えた自動取引装置において、取り扱い可能なカードを示すカード識別情報で構成される利用可能カード情報を記憶した記憶部と、カードの磁気ストライプから読取ったカード磁気ストライプ情報に含まれるカード識別情報が前記利用可能カード情報に記憶されたカード識別情報と一致すると判定したとき、該カード磁気ストライプ情報をＩＣカードに書込むカード情報書込部とを設けたことを特徴とする。
【発明の効果】
【０００７】
このようにした本発明は、カードの利用者が多機能性および汎用性を有する１枚のカードの保有を希望する場合であっても金融機関等の窓口で申請等を行う必要がなく、煩雑な手続を要することもなく、自動取引装置を操作することにより、銀行キャッシュカード、クレジットカードおよび振込カード等の複数のカードの磁気ストライプに記録された情報を容易に１枚のＩＣカードに記憶させることができ、顧客の利便性を向上させることができるという効果が得られる。
【発明を実施するための最良の形態】
【０００８】
以下、図面を参照して本発明による自動取引装置およびＩＣカード利用システムの実施例を説明する。
【実施例】
【０００９】
まず、第１の実施例について説明する。
図１は第１の実施例における自動取引装置の構成を示すブロック図である。
図１において、１は自動取引装置であり、銀行等の金融機関の店舗またはコンビニエンスストア等の店舗等に設置されるものである。この自動取引装置１は顧客の操作により現金引出しや現金入金および振込み等の取引ができるものである。また、通信回線２に通信可能に接続されている。
【００１０】
５はＩＣカードであり、ＩＣチップ等の記憶素子を備えたものである。このＩＣカード５は自動取引装置１を使用するそれぞれの顧客が所持するものであり、予めその顧客の口座番号等の口座情報およびＩＣカード毎に一意に付与されたＩＣカードＩＤ情報等を記憶したものである。
また、このＩＣカード５は、銀行キャッシュカードの磁気ストライプに記録された顧客の口座番号等の口座情報や振込カードの磁気ストライプに記録された振込先口座番号等の振込先情報等をその記憶素子に記憶させる、すなわち、カードの磁気ストライプに記録された情報（以下、「カード磁気ストライプ情報」という。）等を登録することができるものである。
【００１１】
このＩＣカード５の記憶素子は充分な記憶容量を有し、複数枚のカードのカード磁気ストライプ情報を記憶することができるものとする。
通信回線２には銀行等の金融機関の事務センタ等に設置される自動取引装置１の上位装置である図示しないホストコンピュータが接続されている。このホストコンピュータはＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段である制御部、磁気ディスク、半導体メモリ等の記憶手段である記憶部および通信手段である通信部等を備えるものであり、通信回線２を介して自動取引装置１等と相互に通信可能に接続されている。
【００１２】
また、このホストコンピュータは自動取引装置１との間で現金引出し、現金入金、振込み等の取引電文の送受信を行い顧客の取引を成立させるか否かを判断するとともにその取引の処理を行う。さらに、顧客の口座番号と顧客の暗証番号等で本人であるか否かの本人認証も行なう。
次に、自動取引装置１の構成を説明する。
【００１３】
１１は顧客操作表示部であり、タッチパネル等の操作部および液晶ディスプレイ等の表示部で構成されたものである。この顧客操作表示部１１はＣＲＴディスプレイや液晶ディスプレイ等の表示部上にタッチパネルを配置し顧客が行なう入力操作等を検知するものであり、また、取引選択画面、顧客が選択した取引に対して顧客の入力操作等の誘導を行なう画面および入力された情報等を表示するものである。
【００１４】
顧客操作表示部１１で検知した入力操作等は後述する制御部に信号を出力して通知する。
１２はカード部であり、カード読取り書込み機構およびカード搬送機構等を備えたものである。このカード部１２は、ＩＣカードリードライト部１２１および磁気カードリードライト部１２２で構成され、ＩＣカードリードライト部１２１は顧客の操作によりカード挿入返却口に挿入する（接触型ＩＣカードの場合）、または、読み書き面に近づける（非接触型ＩＣカードの場合）ことによりＩＣカード５の記憶素子から情報を読取り、また、任意の情報を記憶させることができ、磁気カードリードライト部１２２は顧客の操作によりカード挿入返却口に挿入されたカードの磁気ストライプから記録された情報を読取り、また、任意の情報を記録することができる。
【００１５】
なお、以下の説明は、接触型ＩＣカードを用いたものとして説明する。
情報の読取りまたは書込みが終了したカードはカード挿入返却口から排出して顧客に返却する。このカード挿入返却口はカードの挿入を検知する機構およびカードの受取りを検知する機構を設けたものである。
１３は入出金部であり、紙幣入出金機および硬貨入出金機で構成されたものである。この入出金部１３は現金引出し取引や現金入金取引に伴う紙幣や硬貨の入出金処理を行なう。ここで、入金処理とは顧客が入出金口に入れた紙幣を紙幣入出金機で計数して金庫に収納し、入出金口に入れた硬貨を硬貨入出金機で計数して金庫に収納することである。また、出金処理とは顧客の操作により指定した金額に相当する紙幣および硬貨をそれぞれ紙幣入出金機および硬貨入出金機の金庫から繰り出して計数し入出金口に搬送して顧客に払い出すことである。
【００１６】
この入出金口は挿入された紙幣ならびに硬貨を検知する機構および搬送された紙幣ならびに硬貨の受取りを検知する機構を設けたものである。
なお、入出金部１３は紙幣入出金機および硬貨入出金機で構成されたものに限られることなく、紙幣入出金機のみで構成されたものであってもよく、さらに、この入出金部１３を備えないものであってもよい。
【００１７】
１４は記憶部であり、半導体メモリや磁気ディスク等で構成され情報を記憶し、記憶した情報を読取ることができるものである。この記憶部１４には自動取引装置１全体の動作を制御する制御プログラム（ソフトウェア）、顧客操作表示部１１に表示する画面データおよび顧客が行なう取引に必要な情報等を記憶し、また、この自動取引装置１で取り扱い可能なカードであることを識別するためのカード識別情報等で構成される利用可能カード情報を記憶する。
【００１８】
１５は制御部であり、ＣＰＵ等の演算および制御手段等で構成されたものである。この制御部１５は顧客操作表示部１１、カード部１２、入出金部１３、記憶部１４および通信制御を行う通信部を含めて自動取引装置１全体の動作を記憶部１４に格納された制御プログラム（ソフトウェア）に基づいて制御する。
また、制御部１５はカード情報書込部１５１およびカード情報利用部１５２を有し、カード情報書込部１５１はカードの磁気ストライプ等から読み取ったカード磁気ストライプ情報をＩＣカード５の記憶素子に記憶させ、また、カード情報利用部１５２はＩＣカード５から読み取った情報に基づいて取引を実行する。
【００１９】
さらに、カード情報利用部１５２はカード情報取得手段１５３およびカード情報比較手段１５４で構成され、カード情報取得手段１５３はカード部１２のＩＣカードリードライト部１２１を介してＩＣカード５に登録されているカード磁気ストライプ情報を読み出し、カード情報比較手段１５４はＩＣカード５から読み出したカード磁気ストライプ情報に基づいて記憶部１４に記憶された利用可能カード情報を検索し、そのカード磁気ストライプ情報による取引の可否を判断する。
【００２０】
なお、制御部１５は日時や時刻等を計測する手段であるカレンダーおよび時計機能等も有している。
図２は第１の実施例におけるＩＣカード５に記憶する情報の説明図である。
図２において、２１は管理情報であり、通番等の管理番号を記憶するものである。
２２はカード情報であり、銀行キャッシュカードの磁気ストライプに記録された顧客の口座番号等の口座情報や振込カードの磁気ストライプに記録された振込先口座番号等の振込先情報等のカード磁気ストライプ情報を記憶するものである。
【００２１】
管理情報２１およびカード情報２２はカード毎に記憶され、複数のカードから読取ったカード磁気ストライプ情報を記憶することができるものとする。
図３は第１の実施例における利用可能カード情報の説明図である。
この利用可能カード情報は上述したとおり自動取引装置１で取り扱うことができるカードを識別するための情報であり、自動取引装置１の記憶部１４に記憶されるものである。
【００２２】
図３において、３１はカード識別情報であり、カードから読取ったカード磁気ストライプ情報に含まれる普通預金口座または総合預金口座を扱う銀行キャッシュカードや信販会社等が発行するクレジットカード等のカードの種類毎に付与された情報であり、自動取引装置１で取り扱うことが可能なカードの種類を識別するための情報を格納するものである。
【００２３】
３２はカード名称であり、カード識別情報３１に対応するカードの名称、例えば、「銀行キャッシュカード」、「○×クレジットカード」等のカードの名称を格納したものである。
このカード識別情報３１およびカード名称３２はカード毎に記憶され、自動取引装置１で取り扱うことができる複数の種類のカードについて記憶することができるものとする。
【００２４】
上述した構成の作用について説明する。
なお、以下に説明する各部の動作は、図示しないメモリや磁気ディスク等の記憶手段に格納されたプログラム（ソフトウェア）に基づいて図示しない中央処理装置等の制御手段により制御される。
まず、自動取引装置１で行うカード磁気ストライプ情報をＩＣカード５に登録する処理を説明する。
【００２５】
図４は第１の実施例におけるカードデータの登録処理を示すフローチャートであり、図中Ｓで表すステップにしたがって説明する。
Ｓ１ａ：図示しない近接センサにより顧客の接近を検知すると自動取引装置１の顧客操作表示部１１は図５に示す取引選択画面を表示する。この取引選択画面は、「いらっしゃいませ  ご希望のお取引を押してください」等の文言および「外貨預金」、「データ登録」、「入金」、「支払」等の取引選択ボタンから構成されるものである。
【００２６】
Ｓ２ａ：顧客により「データ登録」の取引選択ボタンが押下されるものとする。
Ｓ３ａ：「データ登録」の取引選択ボタンの押下を検知すると制御部１５は図６に示すＩＣカード挿入誘導画面を表示する。このＩＣカード挿入誘導画面は「ＩＣキャッシュカードをお入れください。」等の文言、取引選択画面に戻す「取消」ボタンおよびカードのイラスト等で構成されたものである。顧客はこのＩＣカード挿入誘導画面にしたがって所持するＩＣカード５をカード挿入返却口から挿入するものとする。
【００２７】
カード部１２は顧客により挿入されたＩＣカード５を引き込み、ＩＣカードリードライト部１２１により顧客の口座番号等の口座情報を読取る。
また、ＩＣカード５が挿入されると顧客操作表示部１１は図７に示す顧客の暗証番号の入力を受け付ける暗証番号入力画面を表示する。この暗証番号入力画面には「１」から「９」および「０」ボタン等で構成されるテンキーおよび取引を中断させる「取消」ボタン、テンキーにより入力した暗証番号を訂正する「訂正」ボタン等の操作ボタンを表示する。顧客操作表示部１１が暗証番号入力画面を表示すると顧客は表示されたテンキー等の操作ボタンを押下して暗証番号を入力する。顧客が暗証番号を入力すると制御部１５は通信部を介してその暗証番号をカードから読取った口座番号等とともにホストコンピュータへ送信する。このとき、顧客操作表示部１１は図８に示す通信画面を表示するものとする。この通信画面は、「ホスト通信中（ＩＣカード承認中）」等の文言で構成されるものである。
【００２８】
Ｓ４ａ：ホストコンピュータは受信した顧客の口座番号に基づいて図示しない顧客データベースを検索し暗証番号を抽出し、受信した暗証番号と比較して一致するか否かの照合、つまり、本人認証を行う。ホストコンピュータは通信部を介してその結果を自動取引装置１へ送信する。
Ｓ５ａ：本人認証の結果、本人であることが確認できると顧客操作表示部１１は図９に示す登録カード挿入誘導画面を表示する。この登録カード挿入誘導画面は「登録したいキャッシュカードまたは振込カードをお入れください。」等の文言、取引を中断する「取消」ボタンおよびカードのイラスト等で構成されるものである。顧客は登録カード挿入誘導画面にしたがってカードを挿入するものとする。
【００２９】
Ｓ６ａ：カードの挿入を受け付けると磁気カードリードライト部１２２は挿入されたカードの磁気ストライプを読み取り、そのカードがキャッシュカードまたは振込カードであるかを判定する。ここで、キャッシュカードまたは振込カードの判定は磁気カードリードライト部１２２がカードを読取る記録形式の差異で判定するものとする。例えば、始め符号、終り符号、チェックサム等の記録形式の差異で判定する。
【００３０】
Ｓ７ａ：挿入されたカードがキャッシュカードと判定された場合、顧客操作表示部１１は図１０に示す顧客の暗証番号の入力を受け付ける暗証番号入力画面を表示する。この暗証番号入力画面には「１」から「９」および「０」ボタン等で構成されるテンキーおよび取引を中断させる「取消」ボタン、テンキーにより入力した暗証番号を訂正する「訂正」ボタン等の操作ボタンおよび「登録するキャッシュカードの暗証番号を押してください。」等の文言を表示する。顧客操作表示部１１が暗証番号入力画面を表示すると顧客は表示されたテンキー等の操作ボタンを押下して暗証番号を入力する。顧客が暗証番号を入力すると制御部１５は通信部を介してその暗証番号をカードから読取った口座番号等とともにホストコンピュータへ送信する。このとき、顧客操作表示部１１は図１１に示す通信画面を表示するものとする。この通信画面は、「ホスト通信中（登録カード承認中）」等の文言で構成されるものである。
【００３１】
ホストコンピュータは受信した顧客の口座番号に基づいて図示しない顧客データベースを検索し暗証番号を抽出し、受信した暗証番号と比較して一致するか否かの照合、つまり、本人認証を行う。ホストコンピュータは通信部を介してその結果を自動取引装置１へ送信する。
Ｓ８ａ：本人認証の結果、本人であることが確認できるとカード情報書込部１５１の指示によりＩＣカードリードライト部１２１はキャッシュカードから読取ったカード磁気ストライプデータとともにそのカード磁気ストライプデータをＩＣカード５に書込むことを指示する電文を送信する。ＩＣカード５は受信したカード磁気ストライプデータをカード情報２２に記憶させるとともに付与した管理番号を管理情報２１に記憶させる。
【００３２】
Ｓ９ａ：ＩＣカード５にカード磁気ストライプデータが書き込まれると制御部１５の指示によりカード部１２はキャッシュカードを顧客に返却するとともに図１２に示すキャッシュカード受取り誘導画面を表示し、処理をＳ１２ａへ移行させる。このキャッシュカード受取り誘導画面は「キャッシュカードをお受け取りください。」等の文言およびカードのイラスト等で構成されたものである。
【００３３】
Ｓ１０ａ：一方、Ｓ６ａにおいて挿入されたカードが振込カードと判定された場合、カード情報書込部１５１の指示によりＩＣカードリードライト部１２１は振込カードから読取ったカード磁気ストライプデータとともにそのカード磁気ストライプデータをＩＣカード５に書込むことを指示する電文を送信する。ＩＣカード５は受信したカード磁気ストライプデータをカード情報２２に記憶させるとともに付与した管理番号を管理情報２１に記憶させる。
【００３４】
Ｓ１１ａ：ＩＣカード５にカード磁気ストライプデータが書き込まれると制御部１５の指示によりカード部１２は振込カードを顧客に返却するとともに図１３に示す振込カード受取り誘導画面を表示する。この振込カード受取り誘導画面は「振込カードをお受け取りください。」等の文言およびカードのイラスト等で構成されたものである。
Ｓ１２ａ：Ｓ９ａまたはＳ１１ａで返却されたカードを顧客が受取ると制御部１５の指示によりカード部１２はＩＣカード５を顧客に返却するとともに図１４に示すＩＣカード受取り誘導画面を表示する。この振込カード受取り誘導画面は「ＩＣキャッシュカードをお受け取りください。ありがとうございました。」等の文言およびカードのイラスト等で構成されたものである。
【００３５】
このようにしてカード磁気ストライプ情報をＩＣカード５に登録する。
次に、カード磁気ストライプ情報を登録したＩＣカード５を使用した取引について説明する。
図１５は第１の実施例における登録カードの利用処理を示すフローチャートであり、図中Ｓで表すステップにしたがって説明する。
【００３６】
Ｓ１ｂ：図示しない近接センサにより顧客の接近を検知すると自動取引装置１の顧客操作表示部１１は図１６に示す取引選択画面を表示する。この取引選択画面は、「いらっしゃいませ  ご希望のお取引を押してください」等の文言および「外貨預金」、「データ登録」、「入金」、「支払」、「他カード機能利用」等の取引選択ボタンから構成されるものである。
【００３７】
Ｓ２ｂ：顧客により「他カード機能利用」の取引選択ボタンが押下されるものとする。
Ｓ３ｂ：「他カード機能利用」の取引選択ボタンの押下を検知すると制御部１５は図６に示すＩＣカード挿入誘導画面を表示する。顧客はこのＩＣカード挿入誘導画面にしたがって所持するＩＣカード５をカード挿入返却口から挿入するものとする。
カード部１２は顧客により挿入されたＩＣカード５を引き込み、ＩＣカードリードライト部１２１により顧客の口座番号等の口座情報を読取る。
【００３８】
また、ＩＣカード５が挿入されると顧客操作表示部１１は図７に示す顧客の暗証番号の入力を受け付ける暗証番号入力画面を表示する。顧客操作表示部１１が暗証番号入力画面を表示すると顧客は表示されたテンキー等の操作ボタンを押下して暗証番号を入力する。顧客が暗証番号を入力すると制御部１５は通信部を介してその暗証番号をカードから読取った口座番号等とともにホストコンピュータへ送信する。このとき、顧客操作表示部１１は図８に示す通信画面を表示するものとする。
【００３９】
Ｓ４ｂ：ホストコンピュータは受信した顧客の口座番号に基づいて図示しない顧客データベースを検索し暗証番号を抽出し、受信した暗証番号と比較して一致するか否かの照合、つまり、本人認証を行う。ホストコンピュータは通信部を介してその結果を自動取引装置１へ送信する。
Ｓ５ｂ：本人認証の結果、本人であることが確認できるとカード情報利用部１５２はカード情報取得手段１５３によりＩＣカードリードライト部１２１を介してＩＣカード５に記憶されたすべてのカード情報２２を読取る。
【００４０】
Ｓ６ｂ：カード情報取得手段１５３によりＩＣカード５に記憶されたカード情報２２を読取るとカード情報比較手段１５４は読取ったカード情報２２に含まれるカード識別情報に基づいて記憶部１４に記憶した利用可能カード情報のカード識別情報３１を検索する。一致するカード識別情報が存在したときカード情報比較手段１５４はＩＣカード５を利用することが可能であると判定する。また、カード情報比較手段１５４は一致するカード識別情報３１に対応するカード名称３２を抽出する。
【００４１】
Ｓ７ｂ：カード情報比較手段１５４がカード名称３２を抽出すると制御部１５の指示により顧客操作表示部１１は図１７に示す利用カード選択画面を表示する。この利用カード選択画面は「利用するカード情報を選択してください」等の文言およびカード名称を表示した「銀行カード」、「○×クレジットカード」等の選択ボタン（入力操作手段）で構成されるものである。
【００４２】
Ｓ８ｂ：利用カード選択画面を表示すると顧客は希望するカード情報に対応する選択ボタンを押下するものとする。
Ｓ９ｂ：制御部１５は押下された選択ボタンに対応するカード情報の取引を開始する。例えば、「銀行カード」ボタンが押下された場合、通常のキャッシュカードによる支払い等の取引を行うものとし、「○×クレジットカード」ボタンが押下された場合、通常のクレジットカードによるキャッシング等の取引を行うものとする。
【００４３】
ここで、自動取引装置１でＩＣカード５に記憶させた振込カードのカード情報を利用する場合、通常の振込み取引における振込先口座番号等の振込先の情報を入力する画面において、「ＩＣカード登録データの利用」等の選択ボタンを表示させ、その選択ボタンが押下されたとき登録されているすべての振込先情報を挿入されたＩＣカード５から読み込み画面にその一覧を操作ボタンとして表示する。
【００４４】
顧客が表示された振込先情報から希望する振込先の操作ボタンを選択して押下することにより、自動取引装置１の制御部１５等は通常の振込先情報の入力を省略し、ＩＣカード５から読み出した振込先情報にしたがって振込取引を行う。
以上説明したように、第１の実施例では、カードを利用する顧客は自動取引装置を操作することにより、銀行キャッシュカード、クレジットカードおよび振込カード等の磁気ストライプに記録された情報を容易に１枚のＩＣカードに記憶させることができ、顧客の利便性を向上させることができるという効果が得られる。
【００４５】
次に、第２の実施例を説明する。
図１８は第２の実施例におけるＩＣカード利用システムの構成を示すブロック図、図１９は第２の実施例における自動取引装置の構成を示すブロック図、図２０は第２の実施例における利用端末の構成を示すブロック図である。
なお、上述した第１の実施例と同様の部分は、同一の符号を付してその説明を省略する。
【００４６】
図１８において、３はホストコンピュータであり、第１の実施例と同様なのでその説明を省略する。
４は利用端末であり、病院やレンタルショップ等の利用機関の店舗等に設置されるものである。利用者が所持するＩＣカード５から情報を読み取り、その情報にしたがって診療の受付等の処理を行うものである。なお、利用端末４の構成の詳細は後述する。
【００４７】
ＩＣカード利用システムは、通信回線２で接続された自動取引装置１、ホストコンピュータ３および利用端末４で構成されているものである。
図１９において、１２３はスキャナ部であり、カード挿入返却口から挿入されたカードの表面のエンボス（口座番号等の文字）、図柄、模様等を読み取りカード表面イメージデータを生成する光学式のセンサ等で構成されたものである。
【００４８】
カード部１２は、ＩＣカードリードライト部１２１、磁気カードリードライト部１２２およびスキャナ部１２３で構成されたものである。
ここで、自動取引装置１の記憶部１４は、本自動取引装置１で登録可能なカードであることを識別するための利用機関識別情報やカード表面イメージデータ等のカード特徴情報等で構成された登録可能カード情報を記憶するものとする。この登録可能カード情報は、利用機関が発行するカードに記録された情報を登録したＩＣカード５を利用することができる利用端末を有する利用機関を識別するためのものである。
【００４９】
利用機関識別情報とは、ＩＣカード５を利用することが可能な利用機関を示す情報であり、利用機関毎に付与された識別情報である。この利用機関識別情報は利用者が所持するカードの表面に文字等で印刷等されているものとする。また、磁気ストライプつきカードの場合は、磁気データとして記録されているものとする。
制御部１５はカード情報書込部１５１および情報登録結果通知部１５９を有し、カード情報書込部１５１はスキャナ部１２３でカードの表面から読み取ったカード情報をＩＣカード５の記憶素子に記憶させて登録し、また、情報登録結果通知部１５９はカードの表面から読み取ったカード情報をＩＣカード５の記憶素子に記憶させて登録したとき、登録した情報をＩＣカードのＩＤ情報、自動取引装置が設置された支店等の登録場所、登録を行った日付、時間である登録日時、登録を受け付けた自動取引装置が設置された金融機関である登録金融機関情報とともに通信回線２に接続された図示しないサーバ等へ送信する。
【００５０】
さらに、カード情報書込部１５１は文字認識部１５７およびカード特徴比較部１５８を有し、文字認識部１５７は、スキャナ部１２３で読取ったカード表面イメージデータからカードの表面に印刷されたものやエンボス部分を文字として認識し、文字コード等に変換するものである。また、カード特徴比較部１５８は、スキャナ部１２３で読取ったカード表面イメージデータ等のカード特徴情報と記憶部１４に記憶された登録可能カード情報のカード特徴情報を比較（照合）し、一致した場合に登録を可能とするＩＣカード５に登録することの可否を判定する。
【００５１】
ここで、カード特徴情報はスキャナ部１２３で読取ったカード表面イメージデータ、文字認識部１５７で文字と認識した文字情報および磁気ストライプ付きのカードの場合は、その磁気ストライプに記録された磁気データで構成されたものである。
図２０において、利用端末４はキーボードやマウス等の入力部４１、ＣＲＴ（Ｃａｔｈｏｄｅ  Ｒａｙ  Ｔｕｂｅ）、液晶ディスプレイ等の表示部４２、ＩＣカード５の記憶素子に記憶された情報の読み取りや情報の書込みを行うＩＣカードリードライト部４３、磁気ディスク、半導体メモリ等の記憶部４４および入力部４１、表示部４２、ＩＣカードリードライト部４３を含む利用端末４全体の制御を行う制御部４５ならびに通信回線２を介してホストコンピュータ３等と文字データ、画像データ、音声データ等の各種データの通信制御を行う通信制御部等を備えるものである。
【００５２】
この記憶部４４は、カード情報を登録したＩＣカード５のＩＤ情報、ＩＣカード５に登録したカード情報、登録場所、登録日時および登録金融機関情報で構成される登録済みＩＣカード情報を記憶する。また、自己の利用機関識別情報を予め記憶しておくものとする。
この登録済みＩＣカード情報は、自動取引装置１において、カードの表面から読み取ったカード情報をＩＣカード５の記憶素子に記憶させて登録を受け付けたとき、登録した情報をＩＣカードのＩＤ情報、自動取引装置が設置された支店等の登録場所、登録を行った日付、時間である登録日時、登録を受け付けた自動取引装置が設置された金融機関である登録金融機関情報とともに通信回線２に接続された図示しないサーバ等を経由して受信して記憶するものである。
【００５３】
制御部４５は登録情報判定部４５１および登録情報評価部４５２を有し、登録情報判定部４５１は、予め記憶部４４に記憶された利用機関識別情報と一致する利用機関識別情報がＩＣカード５から読み出したカード情報に含まれているか否かを確認する。含まれている場合、該ＩＣカード５は本利用端末４で利用することができると判定し、含まれていない場合は利用することができないと判定する。また、登録情報評価部４５２は、登録済みＩＣカード情報にＩＣカード５から読み出したＩＤ情報が存在するか否かを確認する。存在する場合、該ＩＣカード５は本利用端末４で利用することができると判定し、存在しない場合は利用することができないと判定する。
【００５４】
図２１は第２の実施例におけるＩＣカードに記憶する情報の説明図である。
図２１において、５１は管理情報であり、通番等の管理番号を記憶するものである。
５２は利用機関識別情報であり、スキャナ部１２３でカードの表面から読み取ったカードイメージデータから抽出した利用機関を識別する情報を記憶するものである。
５３はカード情報であり、自動取引装置１の文字認識部１５７で認識された文字情報、カードの表面から読み取ったイメージデータ等を記憶するものである。なお、磁気ストライプ付きカードの場合カード磁気ストライプ情報を記憶するものである。
【００５５】
管理情報５１、利用機関識別情報５２およびカード情報５３は複数のカードから読取ったカード磁気ストライプ情報を記憶することができるものとする。
なお、管理情報５１、利用機関識別情報５２およびカード情報５３は第１の実施例におけるＩＣカード５の管理情報２１およびカード情報２２を記憶する領域と異なる記憶領域に記憶するものとする。したがって、１枚のＩＣカード５に銀行キャッシュカード、振込カード等の磁気ストライプ情報およびその他カードのイメージデータを登録することができる。
【００５６】
図２２は第２の実施例における登録可能カード情報の説明図である。
この登録可能カード情報は上述したとおり自動取引装置１で登録することができるカードを識別するための情報であり、自動取引装置１の記憶部１４に記憶されるものである。
図２２において、６１は利用機関識別情報を記憶するものである。
６２はカード特徴情報であり、ＩＣカード５に記憶されるカード情報５３と同様である。
【００５７】
６３は利用機関通知先であり、カードの表面から読み取ったカード情報をＩＣカード５の記憶素子に記憶させて登録したとき、登録した情報をＩＣカードのＩＤ情報、自動取引装置１が設置された支店等の登録場所、登録を行った日付、時間である登録日時、登録を受け付けた自動取引装置が設置された金融機関である登録金融機関情報とともに情報登録結果通知部１５９が通知するアドレス等の送信先を記憶するものである。
【００５８】
６４はカード名称であり、利用機関識別情報６１に対応するカードの名称を記憶したものである。
図２３は第２の実施例における登録済ＩＣカード情報の説明図である。
この登録済ＩＣカード情報は上述したとおり利用端末４で取り扱うことができるＩＣカードを識別するための情報であり、利用端末４の記憶部４４に記憶されるものである。
【００５９】
図２３において、７１は利用機関識別情報を記憶するものである。
７２はＩＣカードＩＤ情報であり、ＩＣカード毎に一意に付与されたＩＤ情報を記憶するものである。
７３は登録場所であり、登録を行った自動取引装置１が設置された支店等の登録場所を格納するものである。
【００６０】
７４は登録日時であり、登録を行った日付、時間である登録日時を格納するものである。
上述した構成の作用について説明する。
なお、以下に説明する各部の動作は、図示しないメモリや磁気ディスク等の記憶手段に格納されたプログラム（ソフトウェア）に基づいて図示しない中央処理装置等の制御手段により制御される。
【００６１】
まず、自動取引装置１で行うカード情報をＩＣカード５に登録する処理を説明する。
図２４は第２の実施例におけるカードデータの登録処理を示すフローチャートであり、図中Ｓで表すステップにしたがって説明する。
Ｓ１ｃ〜Ｓ４ｃ：図４のＳ１ａ〜Ｓ４ａと同様なのでその説明を省略する。
Ｓ５ｃ：本人認証の結果、本人であることが確認できると顧客操作表示部１１は図２５に示す登録カード選択画面を表示する。この登録カード選択画面は「登録したい情報を選択してください」等の文言、「カードストライプデータ」、「カード券面データ」等の選択ボタンおよび取引を中断する「取消」ボタン等で構成されるものである。
【００６２】
Ｓ６ｃ：「カードストライプデータ」の選択ボタンの押下を受け付けると処理をＳ７ｃへ移行し、「カード券面データ」の選択ボタンの押下を受け付けると処理をＳ１４ｃへ移行する。
Ｓ７ｃ〜Ｓ１３ｃ：図４のＳ５ａ〜Ｓ１１ａと同様に銀行キャッシュカードおよび振込カードを登録する。また、磁気ストライプ付きの利用可能機関のカードの場合も同様に処理され、登録される。
【００６３】
Ｓ１４ｃ：「カード券面データ」の選択ボタンの押下を受け付けると顧客操作表示部１１は図２６に示す登録カード挿入誘導画面を表示する。この登録カード挿入誘導画面は「登録したいカードをお入れください。」等の文言、取引を中断する「取消」ボタンおよびカードのイラスト等で構成されるものである。顧客は登録カード挿入誘導画面にしたがってカードを挿入するものとする。
【００６４】
Ｓ１５ｃ：カードの挿入を受け付けると顧客操作表示部１１は図２７に示す読取中画面を表示するとともにカード部１２のスキャナ部１２３は挿入されたカードの表面を読み取る。この読取中画面は「スキャナ処理中（登録カード券面読取中）」の文言等で構成されたものである。
Ｓ１６ｃ：カードの表面を読み取ると顧客操作表示部１１は図２８に示す登録カード確認画面を表示する。この登録カード確認画面は「参照データは以下の通りです。よろしければ確認を押してください。」等の文言、スキャナ部１２３で読取ったカード表面イメージデータ（スキャンデータ）、取引を中断する「取消」ボタンおよび登録を許可する「確認」ボタン等で構成されたものである。
【００６５】
Ｓ１７ｃ：顧客は「確認」ボタンを押下するものとする。
Ｓ１８ｃ：「確認」ボタンの押下を検知すると文字認識部１５７は、スキャナ部１２３で読取ったカード表面イメージデータからカードの表面に印刷されたものやエンボス部分を文字として認識し、文字コード等の文字情報に変換する。
文字情報に変換するとカード情報書込部１５１は変換された文字情報から利用機関識別情報を抽出するものとする。カード特徴比較部１５８は、抽出した利用機関識別情報と記憶部１４に記憶された登録可能カード情報の利用機関識別情報６１とを、また、スキャナ部１２３で読取ったカード表面イメージデータ等のカード特徴情報と記憶部１４に記憶された登録可能カード情報のカード特徴情報６２とを、比較（照合）し、一致した場合に登録を可能とするＩＣカード５に登録することの可否を判定する。
【００６６】
比較の結果、登録が可能と判定されるとカード情報書込部１５１の指示によりＩＣカードリードライト部１２１はカードから読取ったカード情報とともにそのカード情報から抽出した利用機関識別情報をＩＣカード５に書込むことを指示する電文を送信する。ＩＣカード５は受信した利用機関識別情報を利用機関識別情報５２およびカード情報をカード情報５３に記憶させるとともに付与した管理番号を管理情報２１に記憶させる。
【００６７】
Ｓ１９ｃ：ＩＣカード５に利用機関識別情報およびカード情報が書き込まれると制御部１５の指示によりカード部１２はカードを顧客に返却するとともに図２９に示すカード受取り誘導画面を表示する。この振込カード受取り誘導画面は「カードをお受け取りください。」等の文言およびカードのイラスト等で構成されたものである。
Ｓ２０ｃ：Ｓ１１ｃ、Ｓ１３ｃまたはＳ１９ｃで返却されたカードを顧客が受取ると制御部１５の指示によりカード部１２はＩＣカード５を顧客に返却するとともに図１４に示すＩＣカード受取り誘導画面を表示する。この振込カード受取り誘導画面は「ＩＣキャッシュカードをお受け取りください。ありがとうございました。」等の文言およびカードのイラスト等で構成されたものである。
【００６８】
なお、カードストライプデータかカード券面データかを顧客に選択させるようにしたが、利用機関識別情報とマッチングすることにより自動的に選択するようにしてもよい。
このようにしてカード情報をＩＣカード５に登録する。
次に、カード情報を登録したＩＣカード５を使用した取引について説明する。
利用端末４のＩＣカードリードライト部４３は顧客のＩＣカード５のＩＣカードＩＤ情報、利用機関識別情報５２およびカード情報５３を読取る。
【００６９】
利用機関識別情報５２およびカード情報５３を読取ると登録情報判定部４５１は読取った利用機関識別情報に基づいて記憶部４４に記憶した登録済ＩＣカード情報の利用機関識別情報７１を検索する。
検索した結果、一致する利用機関識別情報が登録済ＩＣカード情報に存在することを確認すると、さらに、登録情報評価部４５２は読取ったＩＣカードＩＤ情報に基づいて記憶部４４に記憶した登録済ＩＣカード情報のＩＣカードＩＤ情報７２を検索する。
【００７０】
検索した結果、一致するＩＣカードＩＤ情報が存在することが確認できると、すなわち、登録されたＩＣカード５であることが確認できると、通常のカードを使用した場合と同様の処理を行う。
なお、本実施例では、カード表面イメージデータをＩＣカード５に登録およびその登録したＩＣカード５を使用した取引についてのみ説明したが、第１の実施例で説明した磁気ストライプ情報をＩＣカード５に登録およびその登録したＩＣカード５を使用した取引を可能としたものであってもよい。
【００７１】
また、本実施例では、ＩＣカード５は接触型ＩＣカードを用いるものとして説明したが、非接触型ＩＣカードであっても同様に利用することができる。
以上説明したように、第２の実施例では、第１の実施例の効果に加え、カードを利用する顧客は自動取引装置を操作することにより、カードの表面に印刷等されたカード情報を容易に１枚のＩＣカードに記憶させることができ、顧客の利便性を向上させることができるという効果が得られる。
【図面の簡単な説明】
【００７２】
【図１】第１の実施例における自動取引装置の構成を示すブロック図
【図２】第１の実施例におけるＩＣカードに記憶する情報の説明図
【図３】第１の実施例における利用可能カード情報の説明図
【図４】第１の実施例におけるカードデータの登録処理を示すフローチャート
【図５】第１の実施例における取引選択画面の説明図
【図６】第１の実施例におけるＩＣカード挿入誘導画面の説明図
【図７】第１の実施例における暗証番号入力画面の説明図
【図８】第１の実施例における通信画面の説明図
【図９】第１の実施例における登録カード挿入誘導画面の説明図
【図１０】第１の実施例における暗証番号入力画面の説明図
【図１１】第１の実施例における通信画面の説明図
【図１２】第１の実施例におけるキャッシュカード受取り誘導画面の説明図
【図１３】第１の実施例における振込カード受取り誘導画面の説明図
【図１４】第１の実施例におけるＩＣカード受取り誘導画面の説明図
【図１５】第１の実施例における登録カードの利用処理を示すフローチャート
【図１６】第１の実施例における取引選択画面の説明図
【図１７】第１の実施例における利用カード選択画面の説明図
【図１８】第２の実施例におけるＩＣカード利用システムの構成を示すブロック図
【図１９】第２の実施例における自動取引装置の構成を示すブロック図
【図２０】第２の実施例における利用端末の構成を示すブロック図
【図２１】第２の実施例におけるＩＣカードに記憶する情報の説明図
【図２２】第２の実施例における登録可能カード情報の説明図
【図２３】第２の実施例における登録済ＩＣカード情報の説明図
【図２４】第２の実施例におけるカードデータの登録処理を示すフローチャート
【図２５】第２の実施例における登録カード選択画面の説明図
【図２６】第２の実施例における登録カード挿入誘導画面の説明図
【図２７】第２の実施例における読取中画面の説明図
【図２８】第２の実施例における登録カード確認画面の説明図
【図２９】第２の実施例におけるカード受取り誘導画面の説明図
【符号の説明】
【００７３】
１    自動取引装置
２    通信回線
３    ホストコンピュータ
４    利用端末
５    ＩＣカード
１１  顧客操作表示部
１２  カード部
１２１  ＩＣカードリードライト部
１２２  磁気カードリードライト部
１３  入出金部
１４  記憶部
１５  制御部
【図１】
2007179299.tif 000003
【図２】
2007179299.tif 000004
【図３】
2007179299.tif 000005
【図４】
2007179299.tif 000006
【図５】
2007179299.tif 000007
【図６】
2007179299.tif 000008
【図７】
2007179299.tif 000009
【図８】
2007179299.tif 000010
【図９】
2007179299.tif 000011
【図１０】
2007179299.tif 000012
【図１１】
2007179299.tif 000013
【図１２】
2007179299.tif 000014
【図１３】
2007179299.tif 000015
【図１４】
2007179299.tif 000016
【図１５】
2007179299.tif 000017
【図１６】
2007179299.tif 000018
【図１７】
2007179299.tif 000019
【図１８】
2007179299.tif 000020
【図１９】
2007179299.tif 000021
【図２０】
2007179299.tif 000022
【図２１】
2007179299.tif 000023
【図２２】
2007179299.tif 000024
【図２３】
2007179299.tif 000025
【図２４】
2007179299.tif 000026
【図２５】
2007179299.tif 000027
【図２６】
2007179299.tif 000028
【図２７】
2007179299.tif 000029
【図２８】
2007179299.tif 000030
【図２９】
2007179299.tif 000031